(57)【要約】【課題】  瞬間でより大きい電圧変化を受けた電熱パーツが電磁波を生じるのを防止可能な電気毛布の制御構造を提供する。【解決手段】  電圧下降整流回路１、ゲートコントロール回路２、ゼロ電圧通過検出回路３、トリガ回路４、中央処理回路５、押しボタン回路６、液晶表示回路７、電圧検出回路８、電流検出回路９などの組合せを設置する。中央処理回路５は中央処理機Ｕ１を有し、ゼロ電圧通過検出回路３、トリガ回路４、押しボタン回路６、液晶表示回路７、電圧検出回路８、電流検出回路９と接続する。ゼロ電圧通過検出回路３で検出されたシグナルを受信し、それをアウトプットすることによってトリガ回路４、ゲートコントロール回路２、電熱パーツを動作させるように制御可能である。電熱パーツは交流電圧がゼロ電圧に接近するとそれと対応して起動可能となり、瞬間でより大きい電圧変化を受けた電熱パーツが電磁波を生じるのを防止可能である。【選択図】    図１
0003106327.tif 000002
【実用新案登録請求の範囲】
【請求項１】
電気毛布の制御構造であって、電圧降下整流回路、ゲートコントロール回路、ゼロ電圧通過検出回路、トリガ回路、中央処理回路、押しボタン回路の組合せを備え、
そのゲートコントロール回路はサイリスタを有し、インプットの交流電源と直列になり、電気毛布の電熱パーツと接続し、そのゲートコントロール回路はトリガ回路と接続し、
ゼロ電圧通過検出回路は交流電源と接続し、中央処理回路と接続し、交流電圧が０電圧に接近するのを検出すると、シグナルをゲートコントロール回路のゲートまでアウトプット可能であり、
トリガ回路のインプット側は中央処理回路と接続し、アウトプット側はゲートコントロール回路のゲートと接続し、
中央処理回路は中央処理機を有し、ゼロ電圧通過検出回路、トリガ回路、押しボタン回路と接続し、ゼロ電圧通過検出回路で検出されたシグナルを受信可能であり、それをアウトプットしてトリガ回路、ゲートコントロール回路、電熱パーツを動作させるように制御可能であり、
ゼロ電圧通過検出回路によって交流電圧がゼロ電圧に接近するのが検出される時、電熱パーツ（９１）はそれに対応して起動可能であり、また電熱パーツ（９１）がより大きい電圧変化を一瞬受けたら電磁波を生じるのを防止可能であることを特徴とする電気毛布の制御構造。
【請求項２】
ゲートコントロール回路（２）はＴＡＩＡＣサイリスタであり、インプットの交流電源と直列になり、電気毛布の電熱パーツ（９１）と接続し、ゲートはトリガ回路（４）と接続することを特徴とする請求項１記載の電気毛布の制御構造。
【請求項３】
ゼロ電圧通過検出回路（３）は大きいインピーダンスの電流制限レジスタンス（Ｒ３）を有し、交流電源と直列になり、電流制限レジスタンス（Ｒ３）にはＮＰＮトランジスタ（Ｑ２）のＢ極を接続し、トランジスタ（Ｑ２）のＣ極が中央処理回路（５）と接続していることを特徴とする請求項１記載の電気毛布の制御構造。
【請求項４】
トリガ回路（４）のインプット側は中央処理回路（５）と接続し、且つ拡大回路を有し、またアウトプット側はゲートコントロール回路（２）のＴＡＩＡＣのゲートと接続していることを特徴とする請求項１記載の電気毛布の制御構造。
【請求項５】
電圧降下整流回路はＡＣ電源と接続し、インプット側に電流制限レジスタンス、コンデンサー電流制限を設置し、更に四つのダイオード及び一つのツェナーダイオードで構成したブリッジ式電圧降下整流回路を設け、ツェナーダイオードによって定電圧が１２Ｖになり、また二つの順向き及び逆向きのダイオード並列及び二つのコンデンサーからなるウェーブフィルタ回路を設けてＶＣＣ直流電源を生じ、そのウェーブフィルタ回路においてツェナーダイオード、レジスタンス、トランジスタ、コンデンサーからなる定電圧回路によってＶＤＤ電圧を生じることを特徴とする請求項１記載の電気毛布の制御構造。
【考案の詳細な説明】
【技術分野】
【０００１】
本考案は、電気毛布の制御構造に関する。
【背景技術】
【０００２】
従来知られている電気毛布は主として交流電気（例えばＡＣ１１０Ｖ、２２０Ｖ）に繋ぎ、また制御スイッチを設けてそれと接続することにより、制御スイッチを起動させると交流電気が電熱パーツに流れ、そして熱エネルギーを生じて人体に対して加熱するものである。目下都市電気の交流電圧については、図４に示すように、交流電気の電圧、電流は時間の経つのに従って正弦波を呈して変わってゆき、そして一般の都市電気の６０Ｈｚでは毎秒、６０回の正弦波Ｔ１の電圧変化を生じ、且つその波のトップ位置では電圧値がａ２、ａ４と最高位置になっている。
【考案の開示】
【考案が解決しようとする課題】
【０００３】
しかしながら図５に示すように、使用者が制御スイッチを使って通電させると、もし通電時間ｂが波のトップａ２の位置と対応するようになった時、その電気毛布の電熱パーツに交流電気が流れ、０電圧から一瞬波のトップ値の電圧まで上がることになり、その瞬間でより大きい電圧の変化によってノイズ、電磁波が生じ、且つその電磁波が人体に入ると健康を損なう（携帯電話からの電磁波が人体に齎す傷害のように）ことになる。使用者が電気毛布の電熱パーツを通電させる時間を有効に制御することができないため、電気毛布の通電時間が交流電圧値のより大きい位置と対応するようになると、瞬間電流のパルス変化によった電磁波が発生し易く、人体の健康に害を与え、長期に使用すると更に人体に傷害を齎すことになる。
【０００４】
したがって本考案の目的は、瞬間でより大きい電圧変化を受けた電熱パーツが電磁波を生じるのを防止可能な電気毛布の制御構造を提供することにある。
【課題を解決するための手段】
【０００５】
上述の目的を達成するために本考案の請求項に記載の電気毛布の制御構造は、電圧下降整流回路、ゲートコントロール回路、ゼロ電圧通過検出回路、トリガ回路、中央処理回路、押しボタン回路、液晶表示回路、電圧検出回路、電流検出回路などの組合せを設置する。また電圧下降整流回路をＡＣ都市電気に繋ぎ、そしてインプット側に電流制限レジスタンス、コンデンサー電流制限を設置し、また四つのダイオード及び一つのツェナーダイオードからなるブリッジ式電圧下降整流回路を設けてそれと接続する。ツェナーダイオードによって定電圧が１２Ｖになる。
【０００６】
また二つの順向き及び逆向きのダイオードを並列に配したもの及び二つのコンデンサーからなるウェーブフィルタ回路を設けてＶＣＣ直流電源を生じさせる。またウェーブフィルタ回路においてツェナーダイオード、レジスタンス抗、トランジスタ、コンデンサーからなった定電圧回路によってＶＤＤ５Ｖの電圧を生じさせる。
【０００７】
またゲートコントロール回路にはＴＡＩＡＣサイリスタが設けられ、且つインプットの交流電源と直列になる。また電気毛布の電熱パーツを設けてそれと接続し、そしてゲートがトリガ回路と接続する。
【０００８】
ゼロ電圧通過検出回路には大きいインピーダンスの電流制限レジスタンスが設けられ、交流電源と直列になり、また電流制限レジスタンスにはＮＰＮトランジスタＢ極が接続されている。またトランジスタＣ極は中央処理回路と接続する。
【０００９】
トリガ回路４のインプット側は中央処理回路と接続し、且つ拡大回路が設けられている。発光ダイオードを設け、またアウトプット側はゲートコントロール路TAIACのゲートと接続する。
【００１０】
中央処理回路は中央処理機を有し、ゼロ電圧通過検出回路、トリガ回路、押しボタン回路、液晶表示回路、電圧検出回路、電流検出回路と接続する。ゼロ電圧通過検出回路で検出されたシグナルを受信し、それをアウトプットすることによってトリガ回路、ゲートコントロール回路、電熱パーツを動作させるように制御可能である。
【００１１】
それによって電熱パーツは交流電圧がゼロ電圧に接近するとそれと対応して起動可能となり、また瞬間でより大きい電圧変化を受けた電熱パーツが電磁波を生じるのを防止することも可能であり、変圧器の設置を減少するために軽便の効果が収められる。
【考案を実施するための最良の形態】
【００１２】
以下、本考案の実施例を図面に基づいて説明する。
図１、図２に示すように、本考案の実施例では、電気毛布の制御構造において電圧下降整流回路１、ゲートコントロール回路２、ゼロ電圧通過検出回路３、トリガ回路４、中央処理回路５、押しボタン回路６、液晶表示回路７、電圧検出回路８、電流検出回路９などの組合せを設置する。また電圧下降整流回路１をＡＣ都市電気（１００Ｖ〜２４０Ｖ）に繋ぎ、インプット側に電流制限レジスタンスＲ１、コンデンサーＣ１電流制限を設置し、また四つのダイオードＤ２、Ｄ３、Ｄ４、Ｄ５及び一つのツェナーダイオードＤ１からなるブリッジ式電圧降下整流回路を設けて接続し、ツェナーダイオードＤ１によって定電圧が１２Ｖになる。
【００１３】
また二つの順向き及び逆向きのダイオードＤ６、Ｄ７並列及び二のコンデンサーＣ２、Ｃ３からなるウェーブフィルタ回路を設けてＶＣＣ直流電源を生じる。ウェーブフィルタ回路においてツェナーダイオードＤ８、電気レジスタンスＲ２、トランジスタＱ１、コンデンサーＣ４、Ｃ５からなる定電圧回路によってＶＤＤ５Ｖの電圧を生じる。
【００１４】
またゲートコントロール回路２はＴＡＩＡＣサイリスタを有し、且インプットの交流電源と直列になり、また電気毛布の電熱パーツ９１を設けてそれと接続し、ゲートがトリガ回路４と接続する。
【００１５】
ゼロ電圧通過検出回路３は大きいインピーダンスの電流制限レジスタンスＲ３を有し交流電源と直列になり、電流制限レジスタンスＲ３にはＮＰＮトランジスタＱ２Ｂ極が設けられ、トランジスタＱ２Ｃ極は中央処理回路５と接続する。
【００１６】
トリガ回路４のインプット側は中央処理回路５と接続し、且Ｑ３、Ｑ４、Ｑ５、Ｒ４、Ｒ５、Ｒ６、Ｒ７、Ｒ８、Ｒ９、Ｒ１０からなる拡大回路を有する。発光ダイオードＤ９を設け、アウトプット側はゲートコントロール回路２のＴＡＩＡＣのゲートと接続する。
【００１７】
中央処理回路５は中央処理機Ｕ１を有し、ゼロ電圧通過検出回路３、トリガ回路４、押しボタン回路６、液晶表示回路７、電圧検出回路８、電流検出回路９と接続する。ゼロ電圧通過検出回路３で検出されたシグナルを受信し、それをアウトプットすることによってトリガ回路４、ゲートコントロール回路２、電熱パーツ９１を動作させるように制御可能である。
【００１８】
押しボタン回路６は起動スイッチ及びタイマーなどスイッチを有する。
また液晶表示回路７によって温度、時間など関係情報が表示可能である。
また電圧検出回路８、電源検出回路９によって電熱パーツ９１を通過した電流及び両端の電圧を感知可能で、電熱パーツ９１が短絡、遮断（遮断、脱落）になった時、異常が検出され、中央処理機Ｕ１によって切る動作に制御し、電源を電熱パーツ９１まで送らないことでより高い安全保障が持てる。
【００１９】
図３に示すように本実施例では、制御構造を交流の都市電気に繋ぐと電圧下降整流回路１を動作させることが可能で、またＶＣＣ直流電源、ＶＤＤ直流電源を生じる。押しボタン回路６の起動スイッチを押すと、中央処理機Ｕ１で受信すると同時に中央処理機Ｕ１がゼロ電圧通過検出回路３からのシグナルも待つようになる。ゼロ電圧通過検出回路３は、交流電圧が低電圧から０.６Ｖまで上昇し、ゼロ電圧に近づくと直ぐにトランジスタＱ２を阻止から通過まで変わらせ、またトランジスタＣ極を高電位から低電位まで変化させる。
【００２０】
またゼロ電圧通過検出回路３は、交流電圧が高電圧から０.６Ｖより小さく降下し、ゼロ電圧に近づくと直ぐにトランジスタＱ２を通過から中止まで変わらせ、且つトランジスタＣを低電位から高電位まで変化させる。中央処理機Ｕ１によって前述の電位変化（第三図のｂ１、ｂ２、ｂ３の位置のよう）を受信するとシグナルをアウトプットしてトリガ回路４を動作させることが可能である。またトリガ回路４を升圧・出力させ、ゲートコントロール回路２のサイリスタＴＲＩＡＣを通過させ、且つ交流電気を電熱パーツ９１にインプットして電気毛布を発熱させるように動作し、そうすると交流電圧がゼロ電圧に近づく時、電熱パーツ９１がそれと対応して起動可能となる。また電熱パーツ９１が瞬間でより大きい電圧変化を受けて電磁波を生じることも防止可能である。
【００２１】
従って上記に説明したように本実施例の構造によって確かに電気毛布が動作する時、より大きい電磁波の発生が防止可能で、また電磁波が人体に対する傷害も避けられるため、より高い使用上の安全性との効果がある他、本考案における電圧降下整流回路は体積の大きい変圧器を使わずに済むため大幅に制御構造のパーツの体積、重量が減少可能で、より軽便の効果が持てる。
【図面の簡単な説明】
【００２２】
【図１】本考案の実施例による電気毛布の制御構造を示す回路ブロックのイメージ図である。
【図２】本考案の実施例による電気毛布の制御構造を示す回路のイメージ図である。
【図３】本考案の実施例による電気毛布の制御構造を示し電熱パーツが動作する時間のイメージ図である。
【図４】交流電気の波形を示すイメージ図である。
【図５】従来知られた電気毛布での通電する時間の実施例を示すイメージ図である。
【符号の説明】
【００２３】
１  電圧下降整流回路、２  ゲートコントロール回路、３  ゼロ電圧通過検出回路、４  トリガ回路、５  中央処理回路、６  押しボタン回路、７  液晶表示回路、８  電圧検出回路、９  電流検出回路、９１  電熱パーツ
【図１】
0003106327.tif 000003
【図２】
0003106327.tif 000004
【図３】
0003106327.tif 000005
【図４】
0003106327.tif 000006
【図５】
0003106327.tif 000007